(57)【要約】【課題】  電子式の表示装置を用いて、前を向いたまま、しかも体や目線を大きく動かすことなく、自分を被写体とする被写体の全周囲の任意の面の姿を映して、同時に、手の動きや、頭の髪や着物の着付け等の見繕いの状況等を見て確認するのを可能にする。【解決手段】  自分を被写体とする被写体の前面に表示装置2を設け、さらに被写体の正面或は背面又は側面等の複数の面を撮影するビデオカメラ1と、ビデオカメラ1で撮影する被写体の複数の面の任意の面を選定する操作部３とを設けて、操作部3で選定されてビデオカメラ1で撮影された自分を被写体とする被写体の任意の面の映像（姿）を表示装置2に表示して見るようにする。【選択図】        図1。
2005136538.tif 000002
【特許請求の範囲】
【請求項１】
自分を被写体とする被写体の前面に設けられる表示装置と、前記被写体の正面或は背面又は側面等に設けられて前記被写体の複数の面を撮影するビデオカメラと、該ビデオカメラで撮影する前記被写体の複数の面の任意の面を選定する選定手段と、該選定手段により選定されて前記ビデオカメラで撮影され得られた前記被写体の任意の面の映像信号を前記表示装置へ伝送する伝送手段と、該伝送手段により伝送された前記映像信号を受けて前記表示装置に前記被写体の任意の面の映像を表示する表示手段とを備えて、前記選定手段により選定されて前記ビデオカメラで撮影された前記被写体の複数の面の任意の面の映像を前記表示装置に表示すようにしたことを特徴とする電子姿見。
【請求項２】
前記表示手段により前記表示装置に表示された前記被写体の任意の面の映像に、予めデ−タベ−ス化されて記憶された複数の試着物の画像デ−タを検索して前記複数の試着物の任意の試着物を選出して、選出された前記任意の試着物の映像を重ね合わせて表示する表示手段を備えたことを特徴とする請求項1記載の電子姿見。
【請求項３】
自分を被写体とする被写体の前面に設けられる表示装置と、前記被写体を撮影するビデオカメラと、該ビデオカメラで撮影され得られた前記被写体の映像信号を前記表示装置へ伝送する伝送手段と、該伝送手段により伝送された前記映像信号を受けて前記表示装置に前記被写体の映像を表示する表示手段と、該表示手段により前記表示装置に表示された前記被写体の映像に、予めデ−タベ−ス化されて記憶された複数の試着物の画像デ−タを検索して前記複数の試着物の任意の試着物を選出して、選出された前記任意の試着物の映像を重ね合わせて表示する表示手段とを備えたことを特徴とする電子姿見。
【発明の詳細な説明】
【技術分野】
【０００１】
本発明は、自分の姿を表示装置に表示して映して見る電子装置を使った電子式の姿見に関するものである。
【背景技術】
【０００２】
従来、自分の姿を表示装置に映して見る電子装置を使った電子式の姿見には、前面に設けられた表示装置に向いたままの状態で、後ろ側に設けられたビデオカメラで自分の後ろ姿を撮影して、得られた後ろ姿の映像信号を前記表示装置に伝送して、そこに自分の後ろ姿を表示して映して見るようにした「後ろ姿見」と、ビデオカメラ（テレビカメラ）を使って自分を一周回させて撮影した自分の体の全周囲の映像をエンドレスフレ−ムメモリに録画して、それを後で再生して表示装置（ディスプレイ）に表示して、そこに自分の全周囲の姿を表示して映して見るようにした「エンドレスフレ−ムメモリを用いた姿見」とがある。
【０００３】
【特許文献１】特開2000-138926号公報
【０００４】
【特許文献２】特開2002-247569号公報
【発明の開示】
【発明が解決しようとする課題】
【０００５】
しかしながら、特許文献1の後ろ姿見は、自分の後ろ姿を、前面に設けられた表示装置に向かったままで、しかも目線や体を動かさないで表示装置に表示して映して見ることができるとともに、映しだされた後ろ姿（背面部）や手の動きなどが同時に見て確認できるため、後ろ側の頭の髪の手入れや着物の着付けなどの見繕いが容易にできるものであるが、例えば左右の真横（側面）等を見る場合には体と目線とを動かす必要があり、体の全周囲の姿を見るなどの点で問題がある。
【０００６】
さらに、特許文献2のエンドレスフレ−ムメモリを用いた姿見は、自分の体の全周囲の姿を、表示装置に表示して映して見ることができるものであるが、先にエンドレスフレ−ムメモリに録画して、後に、録画された映像を再生して表示装置に表示して映して見るようにしているので、映しだされた例えば後ろ姿（背面部）や手の動きなどが同時に見て確認することができないために、表示装置を見ながら同時に後ろ側の頭の髪の手入れや着物の着付けなどの見繕いの状況の確認ができないなどの点で問題がある。
【課題を解決するための手段】
【０００７】
本発明は、自分を被写体とする被写体の前面に設けられる表示装置と、前記被写体の正面或は背面又は側面等に設けられてそれらの複数の面を撮影するビデオカメラと、該ビデオカメラで撮影する前記被写体の複数の面の任意の面を選定する選定手段と、該選定手段により選定されて前記ビデオカメラで撮影され得られた前記被写体の任意の面の映像信号を前記表示装置へ伝送する伝送手段とを備えて、前記選定手段により選定されて前記ビデオカメラで撮影された前記被写体の複数の面の任意の面の映像を前記表示装置に表示すようにしたことを特徴とする電子姿見を提供することで上記課題を解決する。
【発明の効果】
【０００８】
本発明は、自分を被写体とする被写体の前面に設けられた表示装置に、被写体の正面或は背面又は側面等に設けられてそれらの複数の面を撮影するビデオカメラで撮影される複数の面の任意の面を選定して、その映像を表示装置に表示すようにしているので、被写体となる自分自身の任意の面の映像（姿）を前を向いたまま（表示装置に向かったまま）で、しかも目線や体を動かさないで表示装置に表示して（映して）見ることができるとともに、表示された（映しだされた）手の動きなどが同時に見て確認できるため、後ろ側の頭の髪の手入れや着物の着付けなどの見繕いなどは勿論、それらが体の全周囲にわたって容易にできるようになる。
【０００９】
また、本発明の電子姿見をデパ−トやホテル等の化粧室や試着室、それに美容室（院）等に備えて、来客サ−ビスの向上と集客拡大等に寄与すること絶大である。
【発明を実施するための最良の形態】
【００１０】
自分を被写体とする被写体の全周囲の目視確認を容易にする姿見を実現した。
【実施例】
【００１１】
本発明の電子姿見は、図1に示されるように、自分を被写体とする被写体を撮影するビデオカメラ1と、ビデオカメラ1で撮影された被写体の映像を表示する表示装置2と、ビデオカメラ1で撮影して表示装置2に表示する被写体の任意の面を選定する操作をする操作部3を設けている。
【００１２】
このような構成の本発明の電子姿見（図1）において、ビデオカメラ1は、例えば位置決め装置（図示せず）を用いて、被写体の周囲を例えば円周移動するように設けて、操作部3の操作に従って被写体の周囲の任意の位置に移動させて、被写体の任意の面を選定して撮影できるようにする。
【００１３】
さらに、このように操作されるビデオカメラ1は、操作部3の操作によって選定された被写体の任意の面を撮影して得られた映像信号を表示装置2へ伝送する。また、表示装置2は、被写体の前面に設けられていて、ビデオカメラ1からの映像信号を受けて、そこに被写体の任意の面の映像を表示する。
【００１４】
なお、ビデオカメラ1は、被写体の周囲に複数台設けて、複数台のビデオカメラの一台を操作部3を操作して選択して、被写体の任意の面を選定して撮影できるようにしてもよい。
【００１５】
また、ビデオカメラ1は、被写体の周囲を例えば低速で円周移動させて、あるいは、複数台のビデオカメラを低速で切り替えて選択して、同時に表示装置に撮影された被写体の各面の映像を表示するようにしてもよく、撮影して得られた映像信号の伝送は有線或は無線等であってもよい。
【００１６】
また、表示装置2には、被写体の各面の映像を分割表示できるように構成してもよく、さらに、分割表示される各面の中から任意の面の映像を選んで拡大表示するようにしてもよい。
【００１７】
また、表示装置2は電源オフ時には鏡として利用できるので、操作部3に表示装置2の電源オン−オフ機能を備えてもよく、さらには、人体センサを設けて、表示装置2の前に被写体が入ったとき電源をオンするようにしてもよく、また操作部3の操作はキ−操作や画面タッチ操作、リモコン操作、その他の操作方法ができるものであってもよい。
【００１８】
また、本発明は、パソコンやワ−クステ−ション等を用いたＣＧ（コンピュ-タグラフィック）操作機能（図示せず）を備えて、表示装置2に表示された映像（被写体）に、予めデ−タベ−ス化されて記憶された複数の各種の洋服や和服それに装飾品等の試着物の画像デ−タを検索して任意の試着物を選出して、選出された任意の試着物を重ね合わせて表示するようにして、被写体（自分自身の姿）の仮想の試着状況を見て確認できるようにすることが可能である。
【００１９】
また、この場合、試着物の着せ替えは勿論、試着物の色の変更、さらには被写体の背景等の変更等ができるようにすることも可能である。
【図面の簡単な説明】
【００２０】
【図１】本発明に係る電子姿見の概略ブロック図である。
【符号の説明】
【００２１】
１  ビデオカメラ
２  表示装置
３  操作部
【図１】
2005136538.tif 000003